(57)【要約】【課題】電気機器の電源回路において待機時の交流電源遮断時に２次側電源の電圧低下を短時間化する追加の構成により低圧低耐消費電力の部品を用いられることを目的とする。【解決手段】交流電源１から整流した１次電源を生成する整流手段２と１次電源の電力を消費し２次電源を出力する安定降圧手段３と交流電源１の通電を検知する電源遮断検知手段４と２次電源の供給で電源遮断検知手段４の検知信号から通電状態を判断し機器を制御する制御手段５とを備えた構成において、更に２次電源の負荷となる電力消費手段６を備えて、制御手段５おいて待機状態で、且つ交流電源の遮断を判断時に２次電源へ電力消費手段６を接続させる構成としたことにより、電源回路の電力を安定降圧手段３の動作と電力消費手段６で２分して消費できるために、電力消費量増加のための追加構成に低耐圧で、より電力消費の耐性が低いものを用いることができる電気機器の電源回路を得られる。【選択図】図１
2014079130.tif 000002
【特許請求の範囲】
【請求項１】
制御機能を備えた電気機器に搭載される、電源の回路の主要をなす高圧の交流電源を整流し平滑化することで１次電源を生成する整流手段と、及び前記１次電源の電力を消費しながら規定の電圧に安定した２次電源を１次電源から降圧して出力する安定降圧手段を備え、また前記交流電源の機器への通電の状態を検知し、検知結果を電圧値変化の信号として２次電源側に出力する電源遮断検知手段と、前記２次電源からの電力の供給があれば動作して、前記電源遮断検知手段の出力する電圧信号を読み取ることで前記交流電源の機器への通電の状態を判断しながら機器の制御動作を行い、また機器を停止状態とするところの待機状態においては２次電源の電力消費が最低となる制御手段とを備えた回路構成において、前記制御手段により前記２次電源への接続の遮断が制御され、２次電源へ接続された状態においては２次電源の電力消費の負荷となる電力負荷手段を更に備えて、前記制御手段において、機器を待機状態としている前記電源遮断検知手段の出力する電圧信号から前記交流電源の機器への通電が遮断を判断したときには前記電力負荷手段を２次電源に対して接続させるように制御するようにした電気機器の電源回路。
【発明の詳細な説明】
【技術分野】
【０００１】
本発明は、電気機器に制御のために搭載される制御回路の構成に対して安定した降下電圧を供給しながら機器の待機時においては電力消費量を低減させる制御装置の電源回路に関するものである。
【背景技術】
【０００２】
近年、電気機器に搭載される制御装置の電源回路においては省電力の観点から商用電源等の主電源が通電された状態にはあるが電気機器を停止させている、いわゆる待機状態において消費される、一般的に待機電力として知られる主電源から消費される電力をできる限り低減する回路構成が求められている。
【０００３】
また、電気機器に搭載される機器の制御を担う制御装置の主体は、電源の回路構成により安定化し降下させた電圧を電源として動作するマイクロコンピューターを用いて構成することが、ごく一般化している。
【０００４】
この、マイクロコンピューターにおいては機器の動作の手順をプログラムとしてメモリー上に記憶し、この記憶させた手順に基づき順次、機器の制御動作を実行している。
【０００５】
このような、マイクロコンピューターを主体とした制御装置は機器の待機状態においては制御動作に要する作業処理に応じた演算や判断のプログラム動作にまつわる処理数が機器の通常状態に対して最低となり、且つ制御対象となる回路構成の動作も停止することから制御装置自体として消費する電力も機器の待機状態が最低となる。
【０００６】
また、マイクロコンピューターは安定した動作のためには電圧を一定化した電源の供給が必要であるが、合わせて機器に対して主電源が通電されたときの電源の電圧が上昇する時点においては、規定される比較的短時間の間に規定される電圧値以下から電圧を上昇させる必要があり、そして機器に対する主電源の通電が遮断されたときの電源の電圧が下降する時点においても同様に規定される比較的短時間の間に前記の規定される電圧値以下に電圧を降下させることが不可欠であり、この前記の規定の電圧は、いわゆるリセット電圧として一般的に知られている。
【０００７】
さらには、電源の回路構成は電圧の安定化のために構成要素として基本的にコンデンサーを備えており、主電源の通電が瞬間的に遮断されたとしても機器の通常動作の制御において制御装置で消費される電力を、この備えたコンデンサーに保持された電力から供給することで制御装置には安定し降下させた電圧の供給が途切れないように構成されている。
【０００８】
よって、制御装置において機器を待機状態としている時に主電源の通電が遮断されたときには、待機状態においては制御装置自体の消費電力が最低となることから制御の主体を担うマイクロコンピューターへの供給電圧は電源の回路構成に備わるコンデンサーに保持された電力が消費され尽くされるまでに、徐々に低下することになる。
【０００９】
この、マイクロコンピューターへの供給電圧の低下の速度は、制御装置において機器の通常動作の制御に対して待機時の消費電力をより低減させた構成とすればするほど遅くなることから、マイクロコンピューターの正常動作に不可欠なリセット電圧に対する電源電圧の短時間における変化を得難くなるために、主電源の機器への通電の断続に対する制御装置の安定動作に問題が生じ易くなる傾向にあった。
【００１０】
また、待機時の消費電力をより低減させた構成とすれば電源の回路構成に備わるコンデンサーに電圧が保持される時間自体もより長くなるために、主電源を遮断した後に実施する制御装置の修理等の保守作業時における感電障害に対するリスクが高まる傾向にあった。
【００１１】
このことから、省電力化を図りつつ、主電源の通電の断続に対して安定的に動作しながら保守作業時の感電障害に対するリスクをより低減できる制御装置の電源回路が求められている。
【００１２】
従来、この種の制御装置の電源回路は、主電源の通電の遮断を検知する構成と電源の回路構成に備わるコンデンサーによって保持される電力を消費させるための構成を付加して備えることで、制御装置において機器を待機状態としているときで、且つ主電源の通電の遮断を検知したときには電源の回路構成の保持する電圧をより短時間に低下させるために電源の回路構成に対する電力消費量を増加させるようにしたものが知られている（例えば、特許文献１参照）。
【００１３】
以下、その制御装置の電源回路について図３を参照しながら説明する。
【００１４】
図３に示すように、主電源の供給源で１次側となる高圧の交流入力電源を整流化する三相整流スタック１０１と、この三相整流スタック１０１により整流化した高電圧を平滑する平滑用コンデンサー１０２と、この平滑用コンデンサー１０２に並列に接続して外部からの信号の入力により平滑用コンデンサー１０２の帯電荷を放電させる自動放電回路１０３と、交流入力電源の切断を検知して前記自動放電回路１０３による平滑用コンデンサー１０２の帯電荷の放電を切替える電源制御部１０４と、平滑用コンデンサー１０２に並列に接続して直流電源モジュールとして所定の直流電力を以降の負荷回路に供給するように形成されるＤＣ−ＤＣコンバーター１０５とからなり、電源制御部１０４において交流入力電源の切断を検知したときには自動放電回路１０３を介して１次側となる平滑用コンデンサー１０２の帯電荷を放電させるように構成されていた。
【先行技術文献】
【特許文献】
【００１５】
【特許文献１】特開昭６２−１０７６７８号公報
【発明の概要】
【発明が解決しようとする課題】
【００１６】
このような従来の制御装置の電源回路においては、三相整流スタック１０１により高圧の交流入力電源を整流化した高電圧に基づいて平滑用コンデンサー１０２に保持された帯電荷を電源制御部１０４において交流入力電源の切断を検知したときには自動放電回路１０３を介して放電させる構成となっていたので、電源の回路構成に保持される電力消費量を増加させるための自動放電回路１０３の構成においては、平滑用コンデンサー１０２によって電源の回路構成として保持された電力を単独の構成で消費できる能力が必要とされるために、電力消費を担う主要な構成には高耐圧で、高い電力消費に対する耐性が要求されることにより、低耐圧で、電力消費に対する耐性が低い、入手性により優れる汎用的な部品を用いることが難しいという課題を有していた。
【００１７】
そこで本発明は、上記従来の課題を解決するものであり、機器が待機状態で、且つ主電源が遮断されたときに電源の回路構成の電力消費量を増加させるための構成として、低耐圧で、電力消費の耐性が低い、入手性により優れる汎用的な部品を用いることができる制御装置の電源回路を提供することを目的とする。
【課題を解決するための手段】
【００１８】
そして、この目的を達成するために、本発明は、制御機能を備えた電気機器に搭載される、電源の回路を構成する高圧の交流電源を整流し平滑化することで１次電源を生成する整流手段と、及び前記１次電源の電力を消費しながら規定の電圧に安定した２次電源を１次電源から降圧して出力する安定降圧手段を備え、また前記交流電源の機器への通電の状態を検知し、検知結果を電圧値変化の信号として２次電源側に出力する電源遮断検知手段と、前記２次電源からの電力の供給があれば動作して、前記電源遮断検知手段の出力する電圧信号を読み取ることで前記交流電源の機器への通電の状態を判断しながら機器の制御動作を行い、また機器を停止状態とするところの待機状態においては２次電源の電力消費が最低となる制御手段とを備えた回路構成において、前記制御手段により前記２次電源への接続の遮断が制御され、２次電源へ接続された状態においては２次電源の電力消費の負荷となる電力負荷手段を更に備えて、前記制御手段において、機器を待機状態としている前記電源遮断検知手段の出力する電圧信号から前記交流電源の機器への通電が遮断を判断したときには前記電力負荷手段を２次電源に対して接続させるように制御するようにとしたものであり、これにより所期の目的を達成するものである。
【発明の効果】
【００１９】
本発明によれば、制御機能を備えた電気機器に搭載される、電源の回路を構成する高圧の交流電源を整流し平滑化することで１次電源を生成する整流手段と、及び前記１次電源の電力を消費しながら規定の電圧に安定した２次電源を１次電源から降圧して出力する安定降圧手段を備え、また前記交流電源の機器への通電の状態を検知し、検知結果を電圧値変化の信号として２次電源側に出力する電源遮断検知手段と、前記２次電源からの電力の供給があれば動作して、前記電源遮断検知手段の出力する電圧信号を読み取ることで前記交流電源の機器への通電の状態を判断しながら機器の制御動作を行い、また機器を停止状態とするところの待機状態においては２次電源の電力消費が最低となる制御手段とを備えた回路構成において、前記制御手段により前記２次電源への接続の遮断が制御され、２次電源へ接続された状態においては２次電源の電力消費の負荷となる電力負荷手段を更に備えて、前記制御手段において、機器を待機状態としている前記電源遮断検知手段の出力する電圧信号から前記交流電源の機器への通電が遮断を判断したときには前記電力負荷手段を２次電源に対して接続させるように制御するという構成にしたことにより、前記制御手段により、機器が待機状態で、且つ主電源が遮断されたときには前記電力負荷手段により２次電源の電力消費が増加することとなるために、電源の回路を構成する前記整流手段と前記安定降圧手段に全体として保持される電力は安定降圧手段による２次電源の生成に要する電力消費と、及び前記電力消費手段による低電圧側の２次電源の電力消費として、２つの要素に２分して分散させて消費できることとなるので、機器が待機状態で、且つ主電源が遮断されたときに電源の回路構成の電力消費量を増加させるための構成に対して、低耐圧で、電力消費の耐性が低い、入手性により優れる汎用的な部品を用いることができるという効果を得ることができる。
【図面の簡単な説明】
【００２０】
【図１】本発明の実施の形態１の制御装置の電源回路の構成を示す回路図
【図２】同制御装置の電源回路の制御手順を示したフローチャート図
【図３】従来の制御装置の電源回路の構成を示す回路図
【発明を実施するための形態】
【００２１】
本発明の請求項１記載の制御装置の電源回路は、制御機能を備えた電気機器に搭載される、電源の回路を構成する高圧の交流電源を整流し平滑化することで１次電源を生成する整流手段と、及び前記１次電源の電力を消費しながら規定の電圧に安定した２次電源を１次電源から降圧して出力する安定降圧手段を備え、また前記交流電源の機器への通電の状態を検知し、検知結果を電圧値変化の信号として２次電源側に出力する電源遮断検知手段と、前記２次電源からの電力の供給があれば動作して、前記電源遮断検知手段の出力する電圧信号を読み取ることで前記交流電源の機器への通電の状態を判断しながら機器の制御動作を行い、また機器を停止状態とするところの待機状態においては２次電源の電力消費が最低となる制御手段とを備えた回路構成において、前記制御手段により前記２次電源への接続の遮断が制御され、２次電源へ接続された状態においては２次電源の電力消費の負荷となる電力負荷手段を更に備えて、前記制御手段において、機器を待機状態としている前記電源遮断検知手段の出力する電圧信号から前記交流電源の機器への通電が遮断を判断したときには前記電力負荷手段を２次電源に対して接続させるように制御するという構成を有する。これにより、前記制御手段により、機器が待機状態で、且つ主電源が遮断されたときには前記電力負荷手段により２次電源の電力消費が増加することとなるために、
電源の回路を構成する前記整流手段と前記安定降圧手段に全体として保持される電力は安定降圧手段による２次電源の生成に要する電力消費と、及び前記電力消費手段による低電圧側の２次電源の電力消費として、２つの要素に２分して分散させて消費できることとなるので、機器が待機状態で、且つ主電源が遮断されたときに電源の回路構成の電力消費量を増加させるための構成に対して、低耐圧で、電力消費の耐性が低い、入手性により優れる汎用的な部品を用いることができるという効果を奏する。
【００２２】
以下、本発明の実施の形態について図面を参照しながら説明する。
【００２３】
（実施の形態１）
図１は制御機能を備えた電気機器に搭載される制御回路の構成の概略を示している。
【００２４】
機器の外部となる電力供給源の主電源であるところの交流電源１の交流電圧を、先ずは交流電圧を整流して平滑化することにより図上、Ｖ１で示している直流高圧の１次電源を生成する整流手段２で機器の内部に引き込んでいる。
【００２５】
この整流手段２の次段には１次電源に備える電力を消費しながら電圧を降圧して規定の電圧に安定化させる安定降圧手段３を接続して配置することで、１次電源から、図上、Ｖ２で示している低圧直流の安定化させた２次電源を生成して出力している。
【００２６】
この安定降圧手段３の次段には２次電源を電力源として動作する機器の制御動作を行うための制御手段５を接続している。
【００２７】
また、交流電源１には交流電源１の通電の遮断を検知して、その検知結果を低圧の電圧信号として制御手段５に対して出力する電源遮断検知手段４も接続している。
【００２８】
また、２次電源には、２次電源の電力消費の負荷となり制御手段５の電圧信号により２次電源に対する接続の開放を制御できるように構成した電力消費手段６を接続している。
【００２９】
なお、２次電源には図１において２次電源の配線の右端に示した矢印以降においても２次電源を電力供給源として動作するＬＥＤ等の表示装置やブザー等の発音装置、あるいは電動機等の動力装置等の機器の制御要素となり、制御手段５による制御対象となる装置類が接続されるものであるが、本考案の要旨には関係しないことから詳細の説明は省くものとする。
【００３０】
ここで、交流電源１は、例えば商用交流電源であり日本国内においてはＡＣ１００Ｖ（５０／６０Ｈｚ）である。
【００３１】
ここで、整流手段２は特定の構成を規定するものでは無く、ダイオード等の整流素子を用いることで交流電圧を整流化するものでれば良い。
【００３２】
ここで、安定降圧手段３は特定の構成を規定するものでは無いが、例えば入力される電源の電力を消費することで動作し、トランスの１次側に対して電源電圧の導通を断続的に切り替えることでトランスの２次側に降圧させた断続電圧を発生させて、ダイオード等の整流素子を用いることで断続電圧を整流化しながら、この整流化した電圧の電圧値を帰還して、帰還した電圧が基準電圧と異なるときは断続電圧の周期や間隔を変化させることで規定の電圧値（例えばＤＣ５Ｖ等）に出力する電圧を安定化させる、一般的なスイッチングレギュレーターの構成を用いるものであり、本実施例においては交流電源１の片側と２次電源の基準電位（ＧＮＤ）側を共通とした非絶縁型の概略の構成で示している。
【００３３】
なお、安定降圧手段３においてスイッチングレギュレーターの構成を用いたものであっても、入力される電源の電力を消費することで電力の変換の動作を行い降圧した出力を生成することから、入力電力に対する出力電力の変換効率は一般的には６０％〜９０％程度となり、１０％〜４０％程度の電力は損失となって安定降圧手段３において熱となり消費されることとなる。
【００３４】
ここで、整流手段２や安定降圧手段３は電源の回路構成の主要な構成要素となるために、前述した通り、整流化した電圧をより安定化させるために電力を電荷として保持するコンデンサー７ａや７ｂを備えている。
【００３５】
ここで、制御手段５は前述したマイクロコンピューターで構成しているものであり、例えば演算や判断処理を行う中央演算装置や、外部の電圧変化の信号を取り込み、且つ出力できる入出力端子や、アナログ電圧信号をデジタル値に変換して取り込めるＡ／Ｄ入力端子や、動作手順をソフトウェアーとして記憶するためのリードオンリーメモリーや、演算や判定状態を一時的に保存するランダムアクセスメモリー等を一体として内蔵することにより制御動作を単独で処理して実行できる、いわゆる１チップマイクロコンピューターを用いるものである。
【００３６】
なお、この１チップマイクロコンピューターに備わる入出力端子は、印加される電源が正常動作範囲以下の停止した状態にあれば高抵抗状態として電流の入出力が行われない状態であることが基本的仕様であり、印加される電源が正常動作範囲内へ変化した以降の正常動作において、ソフトウェアー記述に基づく内部処理により端子の状態（電源電位の正電位側や基準電位（ＧＮＤ）側、もしくは高抵抗状態の入力端子化）を規定するものである。
【００３７】
また、この１チップマイクロコンピューターは正常動作のためには供給される電源の電圧の上昇と下降においては、規定される比較的短時間の間に規定されるリセット電圧を閾値とした電圧値の上昇と下降方向の変化が不可欠であることは、前述した通りである。
【００３８】
ここで、電源遮断検知手段４は例えば図に示している通り、例えば交流電源１の交流電圧を抵抗８ａと２次電源の基準電位（ＧＮＤ）側に片側を接続した抵抗８ｂで分圧することで降下して、抵抗８ｂの両端に生じる低圧の交流電圧でスイッチ素子であるところのＮＰＮ型のトランジスター９ａのベース端子に印加する構成として、トランジスター９ａのコレクターとエミッター端子間を断続的に導通状態とすることで、２次電源に接続した抵抗８ｃの両端間に２次電源の安定電圧で、且つ交流電源１の交流の周期に同期した矩形の電圧信号を生じさせるようにしたものである。
【００３９】
このように構成した電源遮断検知手段４においては、抵抗８ｃの両端間の電圧に変化が無い状態は機器への交流電源１の通電が遮断されていることを示していることとなるために、交流電源１の通電の遮断は抵抗８ｃの両端間の電圧値が一定となる状態として検知できることとなる。
【００４０】
よって、抵抗８ｃの両端間の電圧値を制御手段５の主体を構成する１チップマイクロコンピューターにおいて入出力やＡ／Ｄ入力の端子５ａで読み込んだ後に、内部処理において交流電源１の交流の周期に同期して変化していないことを判定すれば交流電源１の通電の遮断を判断できることとなる。
【００４１】
ここで、電力消費手段６は、例えば２次電源に抵抗体を接続して電流を導通させることで２次電源の電力を消費させるものであり、この抵抗体であるところ抵抗８ｅの一端を２次電源の正電位側に接続し、もう一端をＮＰＮ型のトランジスター９ｂのコレクター端子に接続して、ＮＰＮ型のトランジスター９ｂのエミッター端子を２次電源の基準電位（ＧＮＤ）側に接続することで、トランジスター９ｂのベース端子に電流の印加があればトランジスター９ｂのコレクターとエミッター端子間が導通状態となり、抵抗８ｄに２次電源が印加されることで２次電源の電力を抵抗８ｄの発熱により消費させるようにしたものである。
【００４２】
また、トランジスター９ｂのベース端子と２次電源の正電位側の間には抵抗８ｅを配置して接続して、基本的には抵抗８ｅを介して２次電源の電圧に基づく電流がベース端子に流れ込むようにすることで、外部からこのベース端子を２次電源の基準電位（ＧＮＤ）側に接続しない限りにおいては抵抗８ｄにより２次電源の電力が消費されるように構成しているものである。
【００４３】
よって、このように構成した電力消費手段６においては、トランジスター９ｂのベース端子を制御手段５の主体を構成する１チップマイクロコンピューターの入出力端子５ｂと接続した構成とすれば、１チップマイクロコンピューターの内部処理によって入出力端子５ｂの出力電位を２次電源の基準電位（ＧＮＤ）に設定すれば２次電源に対する抵抗８ｄの接続は開放されて抵抗８ｄによる２次電源の電力消費は停止状態となり、また２次電源の正電位（もしくは高抵抗状態）とすれば２次電源に抵抗８ｄが接続されることで２次電源の電力消費量が増加する状態に切り替えることができることとなる。
【００４４】
また、制御手段５の主体を構成する１チップマイクロコンピューターは、前述した通り、印加される電源が正常動作範囲以下で停止した状態にあれば入出力端子５ｂは高抵抗状態となることから、制御手段５が停止している状態にあれば抵抗８ｄにより２次電源の電力は常に消費される状態となる。
【００４５】
なお、電力消費手段６における２次電源の電力消費の設定は、待機状態において交流電源１の通電が遮断されたときに電源の回路の主要をなす整流手段２や安定降圧手段３に備わるコンデンサー７ａや７ｂにより保持される電力によって２次電源が規定の電圧を安定して供給している状態から、２次電源の出力電圧値を制御手段５の構成の主体となる１チップマイクロコンピューターにて規定される時間の間にリセット電圧以下に降下させることができるように設定するものであり、これにより１チップマイクロコンピューターを正常に停止させ、次回の２次電源の電圧上昇時に１チップマイクロコンピューターが正常に起動できるような２次電源の出力電圧の変化が得られるように設定するものである。
【００４６】
よって、制御手段５の主体となる抵抗８ｄは前記した２次電源の電力消費を可能する抵抗値を設定し、且つ応じた電力消費耐性を備えるものを選定するものである。
【００４７】
次に、図２に示したフローチャートにより制御手段５において機器の待機状態であって２次電源の通電が遮断されたときに実施する制御処理の手順について説明する。
【００４８】
ここで、図２は前記の通り、機器の制御処理の手順において待機状態における２次電源の通電遮断時に対する制御処理部分の判定と応じて実施する処理のルーチンのみを抜き出して示したものである。
【００４９】
よって、機器の制御の主な処理と機器の待機状態への変更処理、及び交流電源１の遮断の判断そのものの処理は主ルーチンとして図上、点線で示した繰り返しループの中で実施しているものとする。
【００５０】
本ルーチンは、先ず、ステップＳ１において機器が待機状態にあることを判断して、結果、待機状態に無いときにはステップＳ２に移行して、入出力端子５ｂを２次電源の基準電位の状態に保ったまま、主ルーチンに戻ることとなる。
【００５１】
ステップＳ１において機器が待機状態にあることが判断されたときには、次にステップＳ３に移行することとなる。
【００５２】
ステップＳ３においは交流電源１の通電が遮断された状態にあるかを判断して、結果、遮断状態に無いときにはステップＳ２に移行して、入出力端子５ｂを２次電源の基準電位の状態に保ったまま、主ルーチンに戻ることとなる。
【００５３】
ステップＳ３において交流電源１が遮断状態にあることが判断されたときには、次にステップＳ４に移行することとなる。
【００５４】
ステップＳ４においは入出力端子５ｂを高抵抗状態（あるいは２次電源の正電位）に変更して、主ルーチンに戻ることとなる。
【００５５】
以上、よって、ステップＳ４へと移行する状態にあれば機器は待機状態にあって、且つ交流電源１の通電が遮断された状態にあることとなり、もって電力消費手段６による２次電源の電力の消費が開始されることとなる。
【００５６】
このような構成によれば、交流電源１の交流電圧が機器に接続された状態において整流手段２は直流高圧の１次電源を生成し、安定降圧手段３は、この１次電源に備える電力を消費しながら低圧直流の安定化させた２次電源を生成することとなり、制御手段５はこの２次電源を電力源として動作することで規定された手順に従い機器の制御動作を実行することとなる。
【００５７】
また、制御手段５においては機器の制御動作を実行する中で、電源遮断検知手段４による交流電源１の通電遮断の検知を判断することで、機器を待機状態に制御している状態において交流電源１の通電遮断の検知を判断したときには、電力消費手段６による２次電源の電力の消費を開始することとなる。
【００５８】
よって、機器が待機状態にあって、且つ交流電源１の通電が遮断されたときには、電源の回路の主要をなす整流手段２と安定降圧手段３に保持される電力は安定降圧手段３の２次電源の生成に要される電力と、電力消費手段６による低電圧側の２次電源における電力の消費として、安定降圧手段３と電力消費手段６の２つの要素に２分し、分散させて消費できることから、機器が待機状態で、且つ主電源が遮断されたときに電源の回路構成の電力消費量を増加させるための構成に対して、低耐圧で、電力消費の耐性が低い、入手性により優れる汎用的な部品を用いることができることとなる。
【００５９】
なお、電力消費手段６は、２次電源の電力を消費できる構成であれば、その形態や原理を限定するものでは無く、電子回路を搭載する機器の商品仕様上において不具合を与えない構成であれば、ＬＥＤ等の表示装置やブザー等の発音装置、あるいは電動機等の動力装置等の電力を消費するものであっても構わない。
【００６０】
なお、対象となる電源の回路の構成としては直流高圧の電源を生成する整流手段２に対して規定の電圧に安定化させた降圧した電源を生成する安定降圧手段３が１対となる構成のみを限定するものでは無く、複数の規定の電圧の生成が要求され、直列的に多段に電圧を降圧する構成や並列的に個別の電圧に降圧させる構成等、複数の安定降圧手段３を備える必要がある構成においても適用は可能であり、作用効果に差異は無いことは言うまでもない。
【００６１】
なお、電源遮断検知手段４は本考案においては交流電源１の交流の周期に同期した矩形の２次電圧の電圧信号を得て、この電圧信号が得られないときには交流電源１の通電の遮断を検知する構成を一例として説明しているが、整流手段２にて整流化した直流高圧の１次電源に重畳する交流電源１の周期を主要とする電圧変動成分（リップル電圧）をコンデンサーカップリングに通すことで交流電圧を得て、この交流電圧でトランジスターを駆動することで２次電圧の矩形電圧信号を得ることも可能であり、本構成を用いても作用効果に差異がないことは言うまでもない。
【００６２】
なお、本考案においては電力供給源の主電源として高圧交流の交流電源１を基に説明しているが、主電源が直流高圧の電源であったとしても、１次電圧側の電圧の規定値に対する低下があれば２次電圧の電圧信号を変化させる電圧比較型の回路にて電源遮断検知手段４を構成すれば電源の遮断の状態を検知することが可能となり、本構成においても作用効果に差異がないことは言うまでもない。
【産業上の利用可能性】
【００６３】
本発明にかかる制御装置の電源回路は、電気機器に制御のために搭載される制御回路の構成に対して高圧の電源から安定した低電圧の電源を生成して供給しながら機器の待機時には制御回路をより安定的に動作させながら電力消費を低減させることができる構成であるために、制御装置を備える電気機器や電気装置の全般に搭載する制御装置の電源回路等として有用である。
【符号の説明】
【００６４】
１  交流電源
２  整流手段
３  安定降圧手段
４  電源遮断検知手段
５  制御手段
６  電力消費手段
【図１】
2014079130.tif 000003
【図２】
2014079130.tif 000004
【図３】
2014079130.tif 000005